(57)【要約】      （修正有）【課題】人形とその付属品とからなる人形セットを効率的なレイアウトで収納可能な人形セット用収納ケースを提供する。【解決手段】人形セット用収納ケースは、本体部２と上蓋とを有し、人形４ａ、４ｂ及び付属品を含んでなる人形セットを収納する。特に、人形の一部を挿入するためのホールを表面に備え、該ホールに一部が挿入された人形の収納用ケースに対する相対的位置関係を固定する固定部材１５を備えたことを特徴とする。【選択図】図５
0003175598.tif 000002
【実用新案登録請求の範囲】
【請求項１】
本体部と該本体部に組み合わされる上蓋とを有し、人形及び付属品を含んでなる人形セットを収納するための人形セット用収納ケースであって、
前記人形の一部を挿入するためのホールを表面に備え、該ホールに一部が挿入された前記人形の前記人形セット用収納用ケースに対する相対的位置関係を固定する固定部材を備えたことを特徴とする人形セット用収納ケース。
【請求項２】
前記人形が複数ある場合、前記固定部材は前記人形の各々の一部を挿入するホールをそれぞれ備えており、
各ホールは前記複数の人形が固定された際に互いに圧迫しないように所定距離を隔てて設けられていることを特徴とする請求項１に記載の人形セット用収納ケース。
【請求項３】
前記付属品を収納するための収納ケースであって、前記人形セット用収納ケース内に収納される付属品用収納ケースと、
前記付属品の一部を挿入するためのホールを表面に備え、該ホールに一部が挿入された前記付属品の前記付属品用収納ケースに対する相対的位置関係を固定する付属品用固定部材と
を備えたことを特徴とする請求項１又は２に記載の人形セット用収納ケース。
【請求項４】
前記付属品用固定部材は、その表面に前記ホールに対応する付属品が描写されていることを特徴とする請求項３に記載の人形セット用収納ケース。
【請求項５】
前記本体部と前記上蓋とのそれぞれの高さが異なることを特徴とする請求項１から４のいずれか一項に記載の人形セット用収納ケース。
【考案の詳細な説明】
【技術分野】
【０００１】
本考案は、人形とその付属品とからなる人形セットを収納可能な人形セット用収納ケースの技術分野に関する。
【背景技術】
【０００２】
展示用の人形を保管する際には、傷などの損傷から人形を保護するため、収納ケースが用意されている。特に節句人形のように比較的高価で繊細な構成を有する人形はデリケートであるため、保護性能に優れた収納ケースが求められる。特に人形に付属品が付随して人形セットとして扱われるものについては、部品填数が多くなるため、収納ケースが大型化する傾向がある。しかしながら、核家族化が進む現代においてはアパートやマンションのように比較的狭い住宅環境で生活する消費者も多い。そのため、この種の人形セット用の収納ケースでは省スペース化に対応したコンパクトな製品が要望されている。
【０００３】
一方、人形と付属品とを含んでなる人形セットでは、人形と付属品とが併せて展示されることによって、全体的に一体的な美感を奏する場合がある。そのため、人形セットを展示する際には、ある程度のスペースが必要となる。従来、展示用に人形や付属品が取り出された収納ケースは、展示場所から離れた箇所に別途保管する必要があったため、展示用のスペースに加え、収納ケースの保管用のスペースも必要だった。そのため、上述したような比較的狭い住宅環境で生活する消費者に十分適していない場合があった。
【０００４】
例えば特許文献１には、節句人形と付属品とを効率的に収納しつつ、展示時にも台座の一部として利用可能な人形用収納ケースが開示されている。特許文献１では特に、収納ケースの上蓋の上面側に節句人形の背景と機能する屏風が上下に回動可能に取り付けられている。これにより、人形の展示時には屏風を立設状態として、該屏風の前方に節句人形及びその付属品を載せることで、限られたスペースで節句人形を効率的に展示できるとされている。
【先行技術文献】
【特許文献】
【０００５】
【特許文献１】特開２００９―１００８４５号公報
【考案の概要】
【考案が解決しようとする課題】
【０００６】
上述したように、人形セット用収納ケースには効率的な収納性と、保管用スペースの削減とが求められている。上記特許文献１では一部の付属品（屏風等）については収納スペースの工夫がなされているものの、他の付属品についてはその工夫が十分でなく、より効率的な収納レイアウトが求められる。
【０００７】
本考案は上述の問題点に鑑みなされたものであり、人形とその付属品とからなる人形セットを効率的なレイアウトで収納可能な人形セット用収納ケースを提供することを目的とする。
【課題を解決するための手段】
【０００８】
本考案に係る人形セット用収納ケースは上記課題を解決するために、本体部と該本体部に組み合わされる上蓋とを有し、人形及び付属品を含んでなる人形セットを収納するための人形セット用収納ケースであって、前記人形の一部を挿入するためのホールを表面に備え、該ホールに一部が挿入された前記人形の前記人形セット用収納用ケースに対する相対的位置関係を固定する固定部材を備えたことを特徴とする。
本考案によれば、固定部材を用いて人形の一部を固定することによって、本体部に収納された人形の人形セット用収納ケースに対する相対的位置関係を固定できる。これにより、収納された人形に外力が印加された場合であっても、人形セット用ケース内において人形が不用意に移動して損傷を受けることを防止し、良好な保護効果を得ることができる。
【０００９】
前記人形が複数ある場合、前記固定部材は前記人形の各々の一部を挿入するホールをそれぞれ備えており、各ホールは前記複数の人形が固定された際に互いに圧迫しないように所定距離を隔てて設けられていてもよい。
この場合、複数の人形を収納した場合であっても、それぞれの人形は固定部材によって所定距離を隔てて収納されるので、互いの人形同士が圧迫し合ってダメージを受けることがない。また、複数の人形を一つの固定部材で固定できるので、部品填数を不要に増加することなく、シンプルな収納レイアウトで良好な収納性を得ることができる。
【００１０】
前記付属品を収納するための収納ケースであって、前記人形セット用収納ケース内に収納される付属品用収納ケースと、前記付属品の一部を挿入するためのホールを表面に備え、該ホールに一部が挿入された前記付属品の前記付属品用収納ケースに対する相対的位置関係を固定する付属品用固定部材とを備えてもよい。
この場合、人形の装飾効果を高めるための付属品が存在する場合であっても、付属品を付属品用収納ケースにまとめて収納することによって、より効率的な収納レイアウトを実現することができる。特に、前記人形用収納ケースに設けられた固定部材と同様に、付属品の一部を付属品用固定部材が有するホールに挿入して固定することによって、付属品用収納ケース内における各付属品の相対的な位置関係を固定できる。これにより、付属品が多数存在する場合であっても、付属品用固定部材によって位置を固定できるので、効率的な収納レイアウトで安定して収納することができる。
【００１１】
前記付属品用固定部材は、その表面に前記ホールに対応する付属品が描写されていてもよい。
この場合、付属品用固定部材の表面に各付属品に対応するホールが設けられると共に、各付属品に対応する絵柄や文字等が描画されている。これにより、ユーザは描画表示を視認することで、付属品が多数存在する場合であっても、どのホールにどの付属品を固定すればよいかを容易に把握することができる。
【００１２】
前記本体部と前記上蓋とのそれぞれの高さが異なってもよい。
従来の人形セット用収納ケースは人形セットを展示している間は、別の場所に保管する必要があったため、余分な保管用スペースが必要だった。一方、この態様によれば、収納ケースを構成する本体部及び上蓋は、展示時に床面に配置することにより、人形セットの展示用台座として機能させることができる。特に、本体部と上蓋との高さをそれぞれ異なるように設計することで、本体部と上蓋とを並べて配置した際に、台座を段状に構築することができる。これにより、台座上に陳列した人形等の装飾品の美感を効果的に高めることができる。
【考案の効果】
【００１３】
本考案によれば、固定部材を用いて人形の一部を固定することによって、本体部に収納された人形の人形セット用収納ケースに対する相対的位置関係を固定できる。これにより、収納された人形に外力が印加された場合であっても、人形セット用ケース内において人形が不用意に移動して損傷を受けることを防止し、良好な保護効果を得ることができる。
【図面の簡単な説明】
【００１４】
【図１】本実施形態に係る人形セット用収納ケースの外観を模式的に示す斜視図である。
【図２】人形セット用収納ケースのうち本体部を抽出して示す斜視図である。
【図３】人形セット用収納ケースに収納された人形セットの展示例の一つを示す斜視図である。
【図４】人形セット用収納ケースに収納された人形セットの他の展示例を示す斜視図である。
【図５】人形セットの収納方法を段階的に示す模式図である。
【図６】図５（ｆ）に示した固定部材を単体で示す平面図である。
【図７】付属品用ケースの外観を示す斜視図である。
【図８】図７に示す付属品用ケースの断面図である。
【図９】付属品用ケースに各付属品が収納される様子を模式的に示す斜視図である。
【図１０】付属品用固定部材の固定面に施されたデザインの一例を示す平面図である。
【考案を実施するための形態】
【００１５】
以下、添付図面に従って本考案の実施形態について説明する。ただし、この実施形態に記載されている構成部品の寸法、材質、形状、その相対的配置等は、特定的な記載がない限り本考案の範囲をこれに限定する趣旨ではなく、単なる説明例にすぎない。
尚、本実施形態では人形セットの一例として、節句人形セットの一種である雛人形セットについて具体的に説明するが、本考案はその他の種類の人形セットにも同様に適用可能であることは言うまでも無い。
【００１６】
図１は本実施形態に係る人形セット用収納ケース１の外観を模式的に示す斜視図であり、図２は人形セット用収納ケース１のうち本体部２を抽出して示す斜視図である。
人形セット用収納ケース１は人形セットを収納する本体部２と、該本体部２と組み合わせる上蓋３とを備える。本体部２は略直方体形状を有しており、その一面側は収納する人形セットを出し入れするために凹部２ａが開口されて形成さられている。一方、上蓋３は本体部２と組み合わされた際に凹部２ａを塞いで、該凹部２ａに収納された人形セットが外界から隔離されるように、対応した略直方体形状を有している。
【００１７】
図３は人形セット用収納ケース１に収納された人形セットの展示例の一つを示す斜視図である。
人形セット用収納ケース１を構成する本体部２及び上蓋３は、展示時にそれぞれ開口側を床面に向けて配置することにより、人形セットの展示用台座として機能するようになっている。特に、本体部２は上蓋３に比べて高さが大きくなるように形成されている。そのため、図３に示すように本体部２の前方に上蓋３を並べて配置することによって、段状の台座を構築することができる。これにより、台座上に陳列した人形や付属品の美感を効果的に高められるようになっている。
【００１８】
本体部２及び上蓋３により構成される台座上には、赤色の毛氈からなるシート部材１２が配置される。台座の最上段には、２体の人形４ａ及び４ｂが配置され、その背面側に背景用の屏風１３が立設される。一方、人形４ａ及び４ｂの正面側には油灯６ａ及び６ｂ、高杯７ａ及び７ｂ、三宝８がそれぞれ陳列されている。台座の中段には、三人官女９ａ、９ｂ、９ｃが陳列されている。台座の最下段には、御所車１０、橘１１ａ、桜１１ｂが陳列されている。
尚、以下の説明では、油灯６ａ及び６ｂ、高杯７ａ及び７ｂ、三宝８、御所車１０、橘１１ａ、桜１１ｂは、必要に応じてまとめて適宜「付属品」と称することとする。
【００１９】
図４は人形セット用収納ケース１に収納された人形セットの他の展示例を示す斜視図である。この例では、本体部２及び上蓋３を横方向に並べて配置することによって、段状の台座を構築している。
このように本実施形態に係る人形セット用収納ケース１は、本体部２及び上蓋３の配置を工夫することによって様々なバリエーションのレイアウトを実現することができる。そのため、節句人形のように長年に亘って使用される人形であっても、長期間に亘って飽きがなく、良好な美感を維持することができる。
【００２０】
図５は図３及び図４に示す人形セットの収納方法を段階的に示す模式図である。
まず本体部２に各付属品を収納した付属品用ケース１４を配置し（図５（ａ）を参照）、該付属品用ケース１４に隣接するように、屏風１３を折りたたんで収納する（図５（ｂ）を参照）。そして、付属品用ケース１４の上面に台座５ａ及び５ｂを配置し（図５（ｃ）を参照）、付属品用ケース１４及び屏風１３に隣り合うスペースに人形９ａ、９ｂ、９ｃを並べて収納する（図５（ｄ）を参照）。そして、台座５ａ及び５ｂ上にそれぞれ人形４ａ及び４ｂを配置し（図５（ｅ）を参照）、該人形４ａ及び４ｂの頭部側から固定部材１５を挿入して固定する（図５（ｆ）を参照）。最後に、シート部材１２を折りたたんだ状態で先に本体部２に収納した人形セットを上方側から覆い（図５（ｇ）を参照）、上蓋３を本体部２に組み合わせて図１に示す状態が完成する。
尚、図５（ｇ）に示すように、シート部材１２によって本体部２に収納された人形セットを上方から覆うことによって、シート部材１２を緩衝材として機能させて、保護効果を高めている。
【００２１】
図６は図５（ｆ）に示した固定部材１５を単体で示す平面図である。固定部材１５には、人形４ａ及び４ｂの頭部がすり抜けられる程度の大きさを有するホール１６ａ及び１６ｂが設けられている。ホール１６ａ及び１６ｂは、それぞれに人形４ａ及び４ｂの頭部を挿入した際に、人形４ａ及び４ｂの本体側が互いに接触しないように所定距離だけ隔てて配置されている。
このように、複数の人形を収納した場合であっても、それぞれの人形は固定部材１５によって所定距離を隔てて収納されるので、互いの人形同士が圧迫し合ってダメージを受けることがない。また、複数の人形を一つの固定部材１５で固定できるので、部品填数を不要に増加することなく、シンプルな収納レイアウトで良好な収納性を得ることができる。
尚、本実施形態ではホール１６ａ及び１６ｂに人形４ａ及び４ｂの頭部を挿入する場合を例示しているが、その他の部分を挿入して固定してもよい。
【００２２】
またホール１６ａ及び１６ｂは、人形４ａ及び４ｂを本体部２に収納した際に周辺に配置した他の部材（例えば付属品用ケース１４や屏風１３など）から圧迫されないように、固定部材１５の縁部２０，２１，２２，２３に対しても所定距離だけ離れるように配置されている。
【００２３】
図７は付属品用ケース１４の外観を示す斜視図であり、図８は図７に示す付属品用ケース１４の断面図である。
付属品用ケース１４もまた本体部１８と上蓋１７とが組み合わされてなるケースであり、共に略直方体形状を有している。付属品用ケース１４の内部空間には付属品を固定配置するための付属品用固定部材１９が設けられている。付属品用固定部材１９は本体部１８の内壁に対応した固定面１９ａと、該固定面１９ａの縁に沿って下方に屈折して形成された支持部１９ｂとを備えてなる。支持部１９ｂは本体部１８の底面に接触するため、付属品用固定部材１９は固定面１９ａが本体部１８の底面と略平行になるように支持される。
【００２４】
図９は付属品用ケース１４に各付属品が収納される様子を模式的に示す斜視図である。
付属品用固定部材１９の固定面１９ａには、収納される各付属品の一部を挿入するホールが設けられている。各付属品は、これらのホールにそれぞれの一部が固定されることによって、付属品用ケース１４内に安定配置された付属品用固定部材１９に安定支持される。具体的には、油灯６ａ及び６ｂの底部の側面を挿入して固定するためのホール２６ａ及び２６ｂ、高杯７ａ及び７ｂの底部を挿入して固定するためのホール２７ａ及び２７ｂ、三宝８の底部を挿入して固定するためのホール２８、御所車１０の側面を挿入して固定するためのホール３０、橘１１ａ及び桜１１ｂの土台側面を挿入して固定するためのホール３１ａ及び３１ｂが設けられている。
【００２５】
このように付属品が存在する場合であっても、付属品を付属品用収納ケース１４にまとめて収納することによって、より効率的な収納レイアウトを実現することができる。特に、人形用収納ケース１に設けられた固定部材１５と同様に、付属品の一部を付属品用固定部材１９が有するホールに挿入して固定することによって、付属品用収納ケース１４内における各付属品の相対的な位置関係を固定できる。これにより、付属品が多数存在する場合であっても、付属品用固定部材１９によって位置を固定できるので、効率的な収納レイアウトで安定して収納することができる。
【００２６】
図１０は付属品用固定部材１９の固定面１９ａに施されたデザインの一例を示す平面図である。この例では、固定面１９ａには上述したように各付属品に対応するホールが設けられると共に、各付属品に対応する絵柄が施されている。これにより、ユーザは固定面１９ａに施された絵柄に従って、どのホールにどの付属品を固定すればよいかを容易に把握することができる。
【産業上の利用可能性】
【００２７】
本考案は、人形とその付属品とからなる人形セットを収納可能な人形セット用収納ケースに利用可能である。
【符号の説明】
【００２８】
１  人形セット用収納ケース
２  本体部
２ａ  凹部
３  上蓋
４  人形
５  台座
６  油灯
７  高杯
８  三宝
９  三人官女
１０  御所車
１１ａ  橘
１１ｂ  桜
１３  屏風
１４  付属品用ケース
１５  固定部材
１６  ホール
１７  上蓋
１８  本体部
１９  付属品用固定部材
１９ａ  固定面
１９ｂ  支持面
【図１】
0003175598.tif 000003
【図２】
0003175598.tif 000004
【図３】
0003175598.tif 000005
【図４】
0003175598.tif 000006
【図５】
0003175598.tif 000007
【図６】
0003175598.tif 000008
【図７】
0003175598.tif 000009
【図８】
0003175598.tif 000010
【図９】
0003175598.tif 000011
【図１０】
0003175598.tif 000012